【手続補正書】
【提出日】平成24年8月13日(2012.8.13)
【手続補正１】
【補正対象書類名】特許請求の範囲
【補正対象項目名】全文
【補正方法】変更
【補正の内容】
【特許請求の範囲】
【請求項１】
張設された架空配電線に設けられた露出導体部および分岐線先端の露出導体部をそれぞれ並列に収容可能な導体収容部を有する胴体と、当該胴体の前記導体収容部の軸線方向に直交する一方の端面より直接または支持部を介して延設され、間接活線把持工具によって把持可能な把手部とを備えてなることを特徴とする電線分岐用圧縮スリーブ。
【請求項２】
前記把手部は、前記導体収容部に収容される前記架空配電線における露出導体部の軸線から離隔する方向に屈曲または湾曲する部分を含む請求項１に記載の電線分岐用圧縮スリーブ。
【請求項３】
前記支持部は、前記把手部の一端に設けられており、前記胴体の一方の端面から前記導体収容部内に内嵌されることにより当該把手部を前記胴体に固定支持するものである請求項１または２に記載の電線分岐用圧縮スリーブ。
【請求項４】
前記支持部は、前記分岐線の露出導体部の先端に固定可能な構造を備えてなる請求項３に記載の電線分岐用圧縮スリーブ。
【手続補正２】
【補正対象書類名】明細書
【補正対象項目名】全文
【補正方法】変更
【補正の内容】
【発明の詳細な説明】
【発明の名称】電線分岐用圧縮スリーブ
【技術分野】
【０００１】
本発明は、高圧の架空配電線（以下、高圧幹線という。）が充電状態のまま間接活線作業により当該高圧幹線に分岐線を容易かつ効率的に接続するのに用いられる電線分岐用圧縮スリーブに関する。
【背景技術】
【０００２】
高圧幹線に分岐線を接続する場合、当該高圧幹線の所定の位置における被覆電線の被覆を剥いて露出させた露出導体部と、分岐線の被覆電線の一端部の被覆を剥いた露出導体部とをそれぞれ平行に揃えるように電線分岐用圧縮スリーブの導体収容部に収容した上で、所定の圧縮工具を用いて該電線分岐用圧縮スリーブを圧縮することが一般に行なわれている。
【０００３】
このような電線分岐用圧縮スリーブは、被覆電線内の導体の材質によって使い分けられており、導体がアルミニウムまたはその合金の場合には、これに収容される被覆電線における露出導体部の軸線方向に直交する断面がＨ型のものが使用され、導体が銅またはその合金の場合にはＣ型のものが一般的に使用されている（以下、前者をＨ型スリーブ、後者をＣ型スリーブと呼ぶことにする。）。
【０００４】
図６は、一般的なＨ型スリーブの例を示す図であり、（ａ）は斜視図、（ｂ）はこれに収容される露出導体部の軸線方向から見た正面図、（ｃ）は露出導体部を収容した状態を示す正面図である。この図の（ａ）および（ｂ）に示すように、Ｈ型スリーブ１０は、略楕円形の断面の長軸方向両端から当該方向に沿ってそれぞれ中心に向けて断面略半円形の溝状に形成された導体収容部１４、１５を並列に設けた断面略Ｈ型の胴体１１を備え、胴体１１において導体収容部１４、１５の開口縁部の一方からはそれぞれ薄肉部１２１、１３１を介して導体収容部１４、１５の内周面と面一となるように仮押さえリブ１２、１３が突設されてなるものである。ここで、薄肉部１２１、１３１は、仮押さえリブ１２、１３を折り曲げやすいように各導体収容部１４、１５の軸線方向に沿って薄肉に形成された部分である。導体収容部１４、１５には、図６（ｃ）に示すように、それぞれ被覆電線の露出導体部４０、４１が収容された状態で、仮押さえリブ１２、１３をそれぞれこれらの導体収容部１４、１５の開口をそれぞれ塞ぐように折り曲げることで、圧縮工具にてこれを把持し圧縮しやすいようになっている。
【０００５】
このＨ型スリーブを用いて架空配電線が充電状態のまま架空配電線（幹線）に分岐線を接続する間接活線作業は、以下のような手順によって通常行なわれる（図６（ｃ）参照）。作業に当たっては、予め分岐線の幹線に接続しようとする端部を所定の長さだけ被覆を剥いておく。
（１）Ｈ型スリーブの一方の導体収容部１５の仮押さえリブ１３を薄肉部１３１から折り曲げて分岐線の露出導体部４１を挿通可能な挿通孔を形成する。
（２）このＨ型スリーブ胴体をヤットコやクイックなどの間接活線把持工具を用いて把持した状態で幹線の露出導体部４０に向けてアプローチする。
（３）Ｈ型スリーブの他方の導体収容部１４に幹線の露出導体部４０を収容した状態で仮押さえリブ１２を折り曲げて幹線にこのＨ型スリーブ１０を掛着する。
（４）幹線に掛着されたＨ型スリーブにあらかじめ形成しておいた分岐線挿通孔に分岐線一端の露出導体部４１を挿通し、当該Ｈ型スリーブ１０から約３０ｃｍ程度離れた位置においてこの分岐線と幹線とをトングなどの間接活線把持工具によって軽く把持して分岐線がＨ型スリーブから抜け落ちないようにする。
（５）所定の圧縮工具を用いて幹線および分岐線の露出導体部を収容した状態のＨ型スリーブ胴体の外周を所定回数だけ圧縮し、当該Ｈ型スリーブを介して幹線と分岐線とを確実に接続して分岐接続部を形成する。
【０００６】
また、図７は導体が銅またはその合金からなる被覆電線の場合に使用される一般的なＣ型スリーブの例を示す斜視図であり、図８はＣ型スリーブの変形例を示す斜視図である。図７に示すように、Ｃ型スリーブ２０は所定の長さを有する断面略楕円柱状の胴体の略中心に両端に貫通する導体収容部２１を穿設し、側面に導体収容部２１の開口２２が形成された断面略Ｃ型をなし、導体収容部２１には接続しようとする２本の被覆電線の露出導体部を平行に沿わせて収容可能にしたものである。また、図８に示すＣ型スリーブの変形例では、幹線と分岐線とで露出導体部を収容する導体収容部が区画されて２つ設けられており、分岐線の露出導体部については胴体２３の長さ方向にこれを挿入可能な貫通孔（導体収容部）２６が穿設されている点が、図７に示す一般的なＣ型スリーブと相違している。
【０００７】
このような変形例を含めたＣ型スリーブを用いて間接活線作業によって幹線に分岐線を接続する場合には、通常、前記Ｈ型スリーブと同様に、Ｃ型スリーブの導体収容部２１（または２４）を開口２２（または２５）を通して幹線の露出導体部に掛着しておき、前記のような間接活線把持工具を用いて当該導体収容部２１（または２４）に分岐線の露出導体部を差し込み、所定の圧縮工具を用いてＣ型スリーブの外周を圧縮している。
【特許文献１】特開平９−３５７６９号公報
【特許文献２】特開２００１−３２５９９９号公報
【発明の開示】
【発明が解決しようとする課題】
【０００８】
しかし、従来の電線分岐用圧縮スリーブでは、幹線にこれを掛着した状態では、風の影響などにより揺動しやすく、間接活線把持工具で当該電線分岐用圧縮スリーブの所定の導体収容部に分岐線を差し込むことが困難であった。また、仮に分岐線の露出導体部を前記電線分岐用圧縮スリーブの導体収容部に収容でき、当該スリーブから少し離れた位置にて間接活線把持工具を用いて幹線と分岐線とを軽く把持して電線分岐用圧縮スリーブから分岐線が抜け落ちないようにした場合でも、電線分岐用圧縮スリーブはこれら２線によって空中に不安定な状態に支持されているだけであるので、やはり風の影響で揺動しやすく、圧縮工具を先端に取り付けた長尺の間接活線工具を操作して該電線分岐用圧縮スリーブを圧縮工具にて把持するのは困難であり、圧縮作業に時間がかかるといった問題があった。
【０００９】
そこで、本発明は、前記課題を解決すべく、幹線が充電状態のまま間接活線作業により当該幹線に分岐線を容易かつ効率的に接続するのに使用可能な電線分岐用圧縮スリーブを提供することを目的とする。
【課題を解決するための手段】
【００１０】
前記目的は、本発明によれば、張設された架空配電線に設けられた導体露出部および分岐線先端の露出導体部をそれぞれ並列に収容可能な導体収容部を有する胴体と、当該胴体の前記導体収容部の軸線方向に直交する一方の端面より直接または支持部を介して延設され、間接活線把持工具によって把持可能な把手部とを備えてなることを特徴とする電線分岐用圧縮スリーブによって達成される。
【００１１】
前記把手部は、幹線および分岐線の露出導体部をそれぞれ導体収容部に収容した前記電線分岐用圧縮スリーブを間接活線把持工具で把持して揺動しないように一定の姿勢に保持できればその形状および構造にとくに制限はないが、前記導体収容部に前記架空配電線の露出導体部が収容された場合に当該露出導体部の軸線から離隔する方向に屈曲または湾曲する部分を含んでいることが好ましい。このような屈曲または湾曲する部分を形成しておくことで、張設された幹線が障害とならないように間接活線把持工具によって電線分岐用圧縮スリーブの把手部を把持できる。
【００１２】
前記支持部は前記把手部の一端に支持部が設けられており、前記胴体の一方の端面から前記導体収容部内に内嵌され、前記把手部を当該胴体に固定支持するものとすることができる。この場合、前記支持部は、さらに前記分岐線の露出導体部先端に固定可能な構造を備えていることが好ましい。前記支持部をこのような構造とすることで、把手部を間接活線把持工具で把持して本発明の電線分岐用圧縮スリーブを揺動しないように一定の姿勢に保持できるとともに、当該電線分岐用圧縮スリーブからの分岐線の抜け落ちを防止できる。
【発明の効果】
【００１３】
本発明によれば、電線分岐用圧縮スリーブに把手部を設けるようにし、その導体収容部に幹線と分岐線とを収容した後に圧縮工具によってこれを圧縮する際に該電線分岐用圧縮スリーブを間接活線把持工具で把持して固定することができるので、電線分岐用圧縮スリーブが風の影響などにより揺動することがなく、容易かつ効率的に圧縮工具によってこれを把持、圧縮することができる。
【発明を実施するための最良の形態】
【００１４】
以下、添付図面を参照して本発明の電線分岐用圧縮スリーブの実施形態について詳細に説明するが、本発明は以下の実施形態に限定されない。なお、以下の添付図面では、同一または共通する各部については同一の符号を付し、重複した説明を以下では省略する。
【００１５】
［実施形態１］
図１は、本発明の電線分岐用圧縮スリーブの一実施形態を示す斜視図である。この図において、本発明の電線分岐用圧縮スリーブ１は、背景技術においてその基本的構成について説明したＨ型スリーブ１０であり、その胴体１１に並列に設けられた２つの断面略半円形の溝状に形成された導体収容部１４、１５の軸線方向に直角な一方の端面における当該導体収容部１４、１５の略中間に把手部２を備えている。なお、Ｈ型スリーブについては前記のとおりであるので、ここではさらに詳細な説明を省略している。
【００１６】
把手部２は、前記胴体１１の端面から略垂直に延びる第１部材２ａと、その先端より略直角にかつ導体収容部１４の軸線から離隔する方向に立設された第２部材２ｂと、該第２部材２ｂの先端より略直角に立設され、前記第１部材２ａと略平行な第３部材２ｃとの３つの部分から構成され、段差状に形成されている。この把手部２は、これらの各部材２ａ〜２ｃをそれぞれ接合して形成されていてもよく、一体に形成されていてもよい。また、第２部材２ｂの第１部材２ａおよび第３部材２ｃとのなす角度はそれぞれ略直角としているが、これに限定されず、前記導体収容部１４の軸線から離隔する方向であれば任意の角度に設定することができる。このような屈曲する部分を形成しておくことで、張設された幹線が障害とならないように間接活線把持工具によって電線分岐用圧縮スリーブの把手部を把持できる。なお、ここでは、３つの部材２ａ〜２ｃからなる把手部２の例を説明したが、部材の数やそれぞれの配置についてはこの例に限定されるものではなく適宜決定することができる。例えば、第１部材２ａまたは第３部材２ｃを省略して２つの部材からなる略Ｌ字状に形成してもよく、１つの部材のみ用いて直線状に形成してもよい。後者の場合、導体収容部１４の軸線に対して前記のような任意の角度で胴体１１の端面に取り付けるのがよい。
【００１７】
前記各部材２ａ、２ｂ、２ｃは、それぞれ適宜の断面形状を備えることができ、例えばいわゆるヤットコ、クイックなどのいずれの種類の間接活線把持工具を用いても確実に把持できるようにそれぞれの工具によって把持するのに適した断面形状を有する部分を適宜配置することもできるが、好ましくは図１（ｂ）に示すように、略楕円形状の断面において長軸方向両側の曲面を楕円弧状にそれぞれ切り欠いて互いに平行な平面を有する船形状に形成するのがよい。これにより、前記のような複数の断面形状を有する部分を組合せることなく、把手部２（２ａ〜２ｃ）のどの部分もこれらの間接活線把持工具によって確実に把持することができるようになる。
【００１８】
この把手部２は、例えば、接着、溶接、ねじ込みなどの公知の方法で胴体１１の一方の端面に取り付けることができる。また、把手部２の取り付け位置は、図１に示すように胴体１１の一方の端面の略中心の位置に限定されるものではなく、本発明の電線分岐用圧縮スリーブ１を幹線に掛着した場合に、当該幹線の存在が支障とならない適宜の位置に取り付けることができる。例えば、把手部２を第２部材２ｂおよび第３部材２ｃから構成した場合には、胴体１１の端面の図に向って下端側に取り付けることができる。
【００１９】
本実施形態の電線分岐用圧縮スリーブ１を用いて幹線に分岐線を接続する場合、背景技術において述べた方法によってＨ型スリーブ１０の導体収容部１４に幹線Ｗ１の露出導体部４０を収容した状態でこれに掛着した上で、分岐線Ｗ２の露出導体部４１を他方の導体収容部１５内に収容し、仮押さえスリーブ１３を折り曲げて導体収容部１５の開口を塞ぐようにする（図２参照）。あるいは、予め導体収容部１５に分岐線Ｗ２の露出導体部４１を収容して仮押さえリブ１３を折り曲げるとともに、必要であれば分岐線Ｗ２の露出導体部４１の先端などを溶接などの公知の手段によって導体収容部１５の内周面に仮固定し、幹線Ｗ１にこの分岐線Ｗ２を仮固定したＨ型スリーブ１０を掛着することもできる。その後、把手部２を間接活線把持工具によって把持してＨ型スリーブ１０を揺動しないように一定の姿勢に保持した状態で所定の圧縮工具を用いてその外周を圧縮して分岐線Ｗ２を幹線Ｗ１に接続する。圧縮作業完了後は、把手部２の付け根部分を適当な切断工具によって切断し、このようにして形成された分岐接続部に所定のカバーを取り付けることで、分岐線の幹線への接続作業は完了する。
【００２０】
前記実施形態１では、把手部２を胴体１１に直接取り付けたが、把手部２の一端に支持部を設け、当該支持部を介して胴体１１に取り付けることもできる。次に示す実施形態２では、把手部がこのような支持部を備えている。
［実施形態２］
図３は、本発明の電線分岐用圧縮スリーブの別の実施形態を示す斜視図である。また、図４は、図３に示す把手部と、その一端に固定された支持部との斜視図である。図３に示す実施形態では、前記した基本的構成を備えたＨ型スリーブ１０の胴体１１に設けられた一方の導体収容部１５にその軸線方向から内嵌固定された支持部３を介して把手部２が取り付けられている。なお、図３および図４では、把手部２として、説明の便宜上、図１に示す把手部２と基本的に同様の形状および構造を備えたものを用いている。
【００２１】
本実施形態における支持部３は、図３および図４に示すように、導電性を有する帯状の金属薄片を所定の曲率半径にて湾曲させた湾曲部３ａと、その両端に互いに離隔する方向に延設された脚部３ｂ、３ｃとからなる断面略Ω字状の板バネであり、脚部３ｂ、３ｃを備える湾曲部３ａの両端部は互いに接近させることで、これらに互いに離隔する方向に復元力（バネ力）が働き、これによって湾曲部３ａは図４に示す元の形状に戻るようになっている。また、脚部３ｂ、３ｃは、湾曲部３ａの両端との付け根部分で湾曲部３ａの外周方向に弾性的に回動変形可能とされており、湾曲部３ａの外面との角度を大きくするように脚部３ｂ，３ｃを回動変形させることで、湾曲部３ａの両端寄りの部分をさらに湾曲させることができるようになっている（図３参照）。この湾曲部３ａの一端部には、その外面の全周または一部から外方に向けて延在する鍔片を設けてもよい。この支持部３を構成する導電性の金属薄片は、その種類には特に限定されないが、好ましくはＨ型スリーブ胴体１１と同様にアルミニウムまたはその合金であるのがよい。また、支持部３における湾曲部３ａの肉厚は、少なくとも把手部２における断面船形状の第１部材２ａの平行面間の間隔よりも薄くしておくのが好ましい。
【００２２】
把手部２は、図４に示すように、これを構成する第１部材２ａの一端（自由端）が前記した支持部３における湾曲部３ａの一端面に固着されている。湾曲部３ａの肉厚を断面船形状の第１部材２ａにおける平行な面間の間隔よりも薄くした場合、第１部材２ａの図に向って下側の平行な面が湾曲部３ａの内周面と略面一となるように第１部材２ａを湾曲部３ａに固着すると、前者の端部の一部が湾曲部３ａの外周面から図に向って上方に張り出すようになる。このような構成により、支持部３をＨ型スリーブ１０の導体収容部１５に内嵌した場合に、第１部材２ａの湾曲部３ａから張り出した部分がストッパーとなり、これ以上支持部３が導体収容部１５内に入りこまないようにすることができる。また、支持部３における湾曲部３ａの一端面に鍔片を設ける場合、この鍔片に第１部材２ａを固着するとともに、この鍔片によって支持部３の導体収容部１５への入り込みを規制することができる。
【００２３】
本実施形態の電線分岐用圧縮スリーブ１を用いる場合、これを幹線に掛着する前に、その導体収容部１５に分岐線Ｗ２の露出導体部４１を収容しその先端を抜け落ちないように固定することができる。まず、支持部３における湾曲部３ａの開口内に露出導体部４１の先端を通した状態で、Ｈ型スリーブ１０の一方の導体収容部１５内に分岐線Ｗ２の露出導体部４１を収め、支持部３の２つの脚部３ｂ、３ｃを指で摘んで互いに接近させて絞った状態で導体収容部１５の軸線方向一端側から当該導体収容部１５に内嵌する。その後、脚部３ｂ、３ｃから指を離すと、湾曲部３ａは元の形状に復元しようとして導体収容部１５の内周壁に脚部３ｂ、３ｃが当接し、これを押し開く方向に付勢するとともに、脚部３ｂ、３ｃはこれらと湾曲部３ａの外面とのなす角度がそれぞれ大きくなるように回動変形し、湾曲部３ａがさらに露出導体部４１を巻き込んで把持するように変形した状態となる。これにより、当該導体収容部１５内に内嵌された状態で支持部３は露出導体部４１の先端に確実に固定され、結果として露出導体部４１の導体収容部１５からの抜け落ちを防止できる。この支持部３をさらに導体収容部１５内に押し込み、これに固定されている把手部２の端部をＨ型スリーブ１０の胴体１１の端面に当接した状態で当該把手部２を胴体１１に固定支持した上で、仮押さえリブ１３を薄肉部１３１から折り曲げて導体収容部１５の開口を塞ぐ。
【００２４】
次に、把手部２を間接活線把持工具で把持した状態で幹線Ｗ１の露出導体部にこのＨ型スリーブ１０を近づけ、導体収容部１４に幹線Ｗ１の露出導体部４０を収容した状態で、別途間接活線工具を用いてＨ型スリーブ１０の仮押さえリブ１２を薄肉部１２１から折り曲げ、当該Ｈ型スリーブ１０を幹線Ｗ１に掛着する。このとき、把手部２を間接活線把持工具で把持した状態とすることでＨ型スリーブ１０を揺動しないように一定の姿勢に保持できるので、その後の圧縮工具によるこのＨ型スリーブ１０の圧縮作業が容易となる。その後、把手部２の付け根部分の適宜の位置を切断し、このようにして形成された分岐接続部に所定の防護カバーを取り付けることで、分岐線の幹線への接続作業は完了する。
【００２５】
［実施形態３］
図５は、本発明の電線分岐用圧縮スリーブのさらに別の実施形態を占めす断面側面図である。本実施形態では、電線分岐用圧縮スリーブとして図８に示したＣ型スリーブの変形例を用いており、前記各実施形態において示したものと基本的に同様の構造を有する把手部２は、その一端に支持部３を備えている。
【００２６】
本実施形態における支持部３は、Ｃ型スリーブ２３の導体挿通孔２６に嵌め込み可能な有底円筒状を呈しており、その底部分の外面に把手部２の一端が固定され、円筒部分の内周面は開口から底部分に向ってテーパー状に形成されている。また、支持部３の外周面には、その略中間に鍔部３ｄが設けられている。
【００２７】
本実施形態の電線分岐用圧縮スリーブを使用する場合、支持部３は予め導体挿通孔（導体収容部）２６の一端から嵌め込んでおいてから分岐線Ｗ２の露出導体部４１をその先端が導体挿通孔２６の他端側から有底円筒状の支持部３内に挿入されるように差し込んでもよく、前記実施形態２の場合と同様に分岐線Ｗ２の露出導体部４１を導体挿通孔２６内に一端側から挿通し、他端から突出した露出導体部４１の先端に支持部３をはめ込んだ上で露出導体部４１を引き抜き方向に引張り、支持部３の円筒部分を鍔３ｄの位置まで導体挿通孔２６内に嵌め込んでもよい。後者の場合、必要に応じて、適宜、接着、半田付け、圧着、圧縮などの公知の方法によって露出導体部４１の先端と支持部３とを固定することができる。
【００２８】
次に、間接活線把持工具を用いて把手部２を把持した状態で、幹線Ｗ１の露出導体部４０にこのＣ形スリーブ２３を近づけ、当該露出導体部４０を開口２５を通して導体収容部２４内に収容してこれに掛着する。その後、把手部２を間接活線把持工具で把持したまま、圧縮工具によってこのＣ型スリーブを把持し、その外周を圧縮することで、幹線と分岐線とを確実に接続する。そうして、把手部２の支持部３との付け根部分の適宜の位置を適当な切断工具によって切断するとともに防護カバーを取り付け、分岐線の幹線への接続作業は完了する。
【００２９】
以上説明したように、本発明の電線分岐用圧縮スリーブは、その胴体における導体収容部の軸線方向に直交する一端面に直接または導体収容部の軸線方向一端部に支持部を介して把手部を設けることとし、分岐線を幹線に接続する作業において当該把手部を間接活線把持工具で把持した状態で電線分岐用圧縮スリーブを一定の姿勢に保持できるようにしたので、容易に当該電線分岐用圧縮スリーブの圧縮作業などを行うことができ、作業の効率が向上する。また、予め電線分岐用圧縮スリーブの導体収容部に分岐線の露出導体部を仮固定した上で幹線に掛着する場合、分岐線の露出導体部に固定可能な支持部を備えた把手部を用いることで、当該分岐線の仮固定を容易に行なうことができるので、溶接などの公知の方法による仮固定作業をも不要にすることができる。
【図面の簡単な説明】
【００３０】
【図１】本発明の電線分岐用圧縮スリーブの一実施形態を示す斜視図である。
【図２】図１の実施形態の使用状態を示す斜視図である。
【図３】本発明の電線分岐用圧縮スリーブの別の実施形態を示す斜視図である。
【図４】図２に示す把手部および支持部を示す斜視図である。
【図５】本発明の電線分岐用圧縮スリーブのさらに別の実施形態を示す断面側面図である。
【図６】Ｈ型スリーブの一般的な例を示す図である。
【図７】一般的なＣ型スリーブの例を示す斜視図である。
【図８】Ｃ型スリーブの変形例を示す斜視図である。
【符号の説明】
【００３１】
１ 電線分岐用圧縮スリーブ
２ 把手部
３ 支持部
１０ Ｈ型スリーブ
１１ Ｈ型スリーブ胴体
１２、１３ 仮押さえリブ
１２１、１３１ 仮押さえリブ折曲げ部
１４、１５ 導体収容部
２３ Ｃ型スリーブ（導体）
２４ 導体収容部
２６ 導体挿通孔